(57)【要約】【課題】大人用便座上に安定して載置可能で、かつ取り付けおよび取り外しを簡単に行うことのできる幼児用補助便座を提供する。【解決手段】幼児用補助便座１１は、洋式便器の大人用便座上に載置される幼児用の補助便座である。具体的には、中央に穴１２ａの形成された略楕円形状の着座部材１２と、着座部材１２の内縁部から下方に突出する内壁１２ｂと、着座部材１２の外縁部から下方に突出する外壁１２ｃと、着座部材１２の大人用便座に当接する面に配置され、下面が内壁１２ｂおよび外壁１２ｃの先端よりさらに下方に位置する摩擦板１３とを備える。【選択図】図１
2008061777.tif 000002
【特許請求の範囲】
【請求項１】
洋式便器の大人用便座上に載置される乳幼児用補助便座であって、
中央に穴の形成された略楕円形状の着座部材と、
前記着座部材の内縁部から下方に突出する内壁と、
前記着座部材の外縁部から下方に突出する外壁と、
前記着座部材の大人用便座に当接する面に配置され、下面が前記内壁および前記外壁の先端よりさらに下方に位置する摩擦板とを備える、幼児用補助便座。
【請求項２】
前記摩擦板は、使用時に大人用便座の形状に沿って変形する、請求項１に記載の幼児用補助便座。
【請求項３】
前記摩擦板は、前記着座部材の前方領域にのみ配置される、請求項１または２に記載の幼児用補助便座。
【請求項４】
前記着座部材の上面と前記内壁との境界部分、および／または、前記着座部材の上面と前記外壁との境界部分は、所定の曲率を持って湾曲している、請求項１〜３のいずれかに記載の幼児用補助便座。
【請求項５】
前記幼児用補助便座は、
前記着座部材と前記摩擦板とに連通する位置決め孔と、
前記位置決め孔に固定され、前記着座部材の上方に延びる把持部とをさらに備える、請求項１〜４のいずれかに記載の幼児用補助便座。
【発明の詳細な説明】
【技術分野】
【０００１】
この発明は、幼児用補助便座、特に、洋式トイレの便座上に載置して使用する幼児用補助便座に関するものである。
【背景技術】
【０００２】
従来の幼児用補助便座は、例えば、特開平１０−１６５３２９号公報（特許文献１）に記載されている。図７を参照して、同公報に記載されている幼児用補助便座１０１は、中央に穴１０２ａの形成された略楕円形状の着座部材１０２と、着座部材１０２の前方領域に幼児の手の支えとなるハンドル１０３と、着座部材１０２の下面側に大人用便座（図示せず）に対して幼児用補助便座１０１を固定する位置決め部材１０４（図７中に破線で示す）とを備え、洋式便器の大人用便座上に載置して使用する。
【０００３】
位置決め部材１０４は、着座部材１０２の下面から突出する軸１０４ａと、略長円形状の係合片１０４ｂとで構成される。また、係合片１０４ｂは、その中心を外れた位置で軸１０４ａに回転自在に保持されている。そして、係合片１０４ｂを回転させて大人用便座の下面に係合させることにより、幼児用補助便座１０１を大人用便座に固定させると記載されている。
【特許文献１】特開平１０−１６５３２９号公報
【発明の開示】
【発明が解決しようとする課題】
【０００４】
上記構成の位置決め部材１０４は、あらゆる大人用便座に幼児用補助便座１０１を固定可能とするために汎用性を持たせて設計されている。そのため、大人用便座の形状によっては、大人用便座の下面と係合片１０４ｂとの間に隙間を生じる可能性がある。
【０００５】
この隙間は、幼児用補助便座１０１が大人用便座上でガタつきを生じる原因となり得る。特に、このガタつきは、子供の幼児用補助便座１０１への乗降時や、幼児用補助便座１０１上で子供が体を前後左右に揺らしたりしたときに問題となる。
【０００６】
また、位置決め部材１０４による幼児用補助便座１０１の取り付けおよび取り外しは、小さい子供にはできない場合がある。そのため、子供が幼児用補助便座１０１を使用する度に、大人の手を借りなければならない等の不都合が生じる。
【０００７】
そこで、この発明の目的は、大人用便座上に安定して載置可能で、かつ取り付けおよび取り外しを簡単に行うことのできる幼児用補助便座を提供することである。
【課題を解決するための手段】
【０００８】
この発明に係る幼児用補助便座は、洋式便器の大人用便座上に載置される幼児用の補助便座である。具体的には、中央に穴の形成された略楕円形状の着座部材と、着座部材の内縁部から下方に突出する内壁と、着座部材の外縁部から下方に突出する外壁と、着座部材の大人用便座に当接する面に配置され、下面が内壁および外壁の先端よりさらに下方に位置する摩擦板とを備える。
【０００９】
上記構成の幼児用補助便座は、大人用便座と摩擦板との接触摩擦によって、幼児用補助便座を大人用便座上に安定して固定する。これにより、大人用便座の形状に依存せず、安定した状態で使用可能な幼児用補助便座を得ることができる。
【００１０】
また、着座部材の内縁部および外縁部にそれぞれ下方に折れ曲がる壁面を設けることによって、着座部材に座る子供の体が傷つくのを防止することができる。その結果、安全性に優れた幼児用補助便座を得ることができる。
【００１１】
さらに、上記構成の幼児用補助便座は、大人用便座上に載置するだけで使用可能となるので、従来の幼児用補助便座と比較して、取り付けおよび取り外しが簡単な構造となっている。
【００１２】
好ましくは、摩擦板は、使用時に大人用便座の形状に沿って変形する。このように、弾性変形能の高い材料で摩擦板を形成することにより、摩擦板と大人用便座との接触面積が大きくなる。その結果、大人用便座上にさらに安定して保持可能な幼児用補助便座を得ることができる。
【００１３】
さらに好ましくは、摩擦板は着座部材の前方領域にのみ配置される。通常、幼児用補助便座を使用する子供は、着座部材上に前屈みの状態で座っている。したがって、幼児用補助便座を安定させるためには、前方方向へのずれを防止するのが効果的である。そこで、摩擦板を着座部材の前方領域にのみ配置することにより、幼児用補助便座を効果的に安定させることができると共に、摩擦板の材料を節約することが可能となる。
【００１４】
好ましくは、着座部材の上面と内壁との境界部分、および／または、着座部材の上面と外壁との境界部分は、所定の曲率を持って湾曲している。これにより、着座部材に座る子供の体が傷つくのをさらに有効に防止することができる。
【００１５】
好ましくは、幼児用補助便座は、着座部材と摩擦板とに連通する位置決め孔と、位置決め孔に固定され、着座部材の上方に延びる把持部とをさらに備える。把持部を設けることにより、幼児用補助便座を使用する子供の姿勢が安定する。また、位置決め孔に把持部を固定することにより、摩擦板を着座部材の所定位置に位置決めすることができる。
【発明を実施するための最良の形態】
【００１６】
図１〜図６を参照して、この発明の一実施形態に係る幼児用補助便座１１を説明する。なお、図１は幼児用補助便座１１の斜視図、図２は幼児用補助便座１１の下面図、図３は摩擦板１３を示す図、図４は図２のＩＶ−ＩＶにおける断面図、図５は図２のＶ−Ｖにおける断面図、図６は幼児用補助便座１１の使用状態を示す図である。
【００１７】
まず、図１〜図５を参照して、幼児用補助便座１１は、大人用便座上に載置されると共に、子供が座る着座部材１２と、着座部材１２の下面、すなわち、大人用便座に当接する面に配置される摩擦板１３と、着座部材１２の前方領域で上方に延びる把持部１４とを備える。
【００１８】
図１を参照して、着座部材１２は略楕円形状の部材であって、例えばプラスチック等を射出成型して形成されている。着座部材１２の中央には、略楕円形状の穴１２ａが形成されており、内縁部および外縁部には、それぞれ下方に突出する内壁１２ｂおよび外壁１２ｃが設けられている。また、内縁部の前方領域には、尿の飛散を防止するために上方に突出する前ガード部１２ｄが設けられている。また、着座部材１２の上面には、その形状にそってシート部材１２ｅが貼付されている。
【００１９】
前ガード部１２ｄのさらに前方には、中央に把持部１４を保持する穴１２ｆと、穴１２ｆの両端に玩具等を保持する一対の穴１２ｇとが形成されている。把持部１４は、左右に延びる一対の把手１４ａを有している。
【００２０】
次に、図２を参照して、着座部材１２の下面には、下方に突出する複数の位置決め突起１２ｈが設けられている。この位置決め突起１２ｈは、大人用便座の内側に嵌り込んで、幼児用補助便座１１を大人用便座に対して位置決めする。なお、この実施形態においては、前方領域に２箇所、後方領域に２箇所の計４箇所に位置決め突起１２ｈを設けたが、位置決め突起１２ｈの位置や個数は任意に選択できるものとする。また、さらに位置決め突起１２ｈのさらに後方には、着座部材１２の剛性を高めるための複数の強化壁１２ｉが設けられている。
【００２１】
次に、図３を参照して、摩擦板１３は、着座部材１２の下面の前方領域に嵌まり込むように、外形が略円弧形状に形成されている。また、この摩擦板１３には、中央部に着座部材１２の穴１２ｆに対応する大径穴１３ａと、その両側に位置決め突起１２ｈを受け入れる小径穴１３ｂとが設けられている。
【００２２】
次に、図４を参照して、着座部材１２の穴１２ｆと摩擦板１３の大径穴１３ａとは、着座部材１２と摩擦板１３とに連通する位置決め孔１５を構成する。この位置決め孔１５は、把持部１４を固定すると共に、摩擦板１３の着座部材１２に対する位置を固定する。
【００２３】
次に、図４および図５を参照して、着座部材１２の上面と内壁１２ｂとの境界部分、および、着座部材１２の上面と外壁１２ｃとの境界部分は、それぞれ所定の曲率を持って湾曲している。
【００２４】
内壁１２ｂおよび外壁１２ｃは、着座部材１２の剛性を高めるため、および幼児用補助便座１１への乗降時等に子供の体が着座部材１２の内縁部および外縁部と接触して怪我をするのを防止するために、下方に屈曲している。したがって、子供への攻撃性を緩和して安全性を高める観点からは、内壁１２ｂおよび外壁１２ｃの屈曲部分の曲率は大きいほうが望ましい。
【００２５】
なお、この実施形態においては、内壁１２ｂおよび外壁１２ｃの根元部分がそれぞれ所定の曲率を持って湾曲した例を示したが、これに限ることなく、どちらか一方にのみでもこの発明の効果を得ることはできる。この場合、外縁部のほうが子供の体と接触する機会が多いので、少なくとも外壁１２ｃの根元部分を湾曲させるのが望ましい。
【００２６】
また、図４および図５を参照して、摩擦板１３は、着座部材１２の下面に配置したときに、その下面が内壁１２ｂおよび外壁１２ｃの先端よりさらに下方に位置するように厚み寸法が設定されている。さらに、摩擦板１３は、例えば、ポリウレタンや発泡スチロール等の弾性変形能が高く、摩擦係数の大きい材料で形成されている。
【００２７】
次に、図６を参照して、幼児用補助便座１１の使用状態を説明する。
【００２８】
幼児用補助便座１１は、洋式便器２１の大人用便座２２上に載置して使用する。このとき、摩擦板１３が配置された幼児用補助便座１１の前方領域を大人用便座２２の先端に合わせると共に、着座部材１２の下面に設けられた複数の位置決め突起１２ｈが大人用便座２２の中穴２３に嵌まり込むように載置する。
【００２９】
このように幼児用補助便座１１を大人用便座２２上に載置すると、摩擦板１３が弾性変形して大人用便座の上面に沿う形状となる。これにより、摩擦板１３と大人用便座との接触面積が増加し、それに伴って両者の間の接触摩擦も大きくなる。その結果、幼児用補助便座１１のガタつきを抑えて、大人用便座２２上に安定して固定することができる。
【００３０】
また、摩擦板１３を弾性変形能の高い材料で形成することにより、大人用便座２２の形状に合わせて自由に変形することができる。その結果、この幼児用補助便座１１は、あらゆる形状の大人用便座に載置して使用することができる。
【００３１】
また、上記構成の幼児用補助便座１１は、従来のように位置決め部材１０４を操作する等の特別の作業をしなくとも、大人用便座２２上に載置するだけで使用可能となる。このように、取り付けおよび取り外しが簡単な構造とすることにより、子供が大人の手を借りることなく幼児用補助便座１１を使用することができる。
【００３２】
さらに、必要に応じて、一対の穴１２ｇに玩具等を固定しておいてもよい。これにより、子供が幼児用補助便座１１に興味を持って積極的に使用するようになるので、トイレトレーニングとして有効である。
【００３３】
なお、上記の実施形態において、摩擦板１３は着座部材１２の前方領域にのみ配置した例を示したが、これに限ることなく、任意の位置に配置することができる。例えば、前後左右のあらゆる方向へのガタつきを有効に防止する観点からは、着座部材１２の下面全域に摩擦板１３を配置するのが望ましい。
【００３４】
ただし、把持部１４を持って着座部材１２上に座っている子供は、前屈みになっていることが多い。そのため、特に幼児用補助便座１１の前方へのずれを防止することが求められる。上記の観点からは、少なくとも着座部材１２の前方領域に摩擦板１３を設ければよい。また、このように摩擦部材１３を最も効果の高い部分にのみ設けることにより、材料を節約して製品コストを低減することができる。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３６】
この発明は、洋式便器の大人用便座に載置して使用する幼児用補助便座に有利に利用される。
【図面の簡単な説明】
【００３７】
【図１】この発明の一実施形態に係る幼児用補助便座の斜視図である。
【図２】図１の幼児用補助便座の下面図である。
【図３】図１の幼児用補助便座に使用される摩擦板を示す図である。
【図４】図２のＩＶ−ＩＶにおける断面図である。
【図５】図２のＶ−Ｖにおける断面図である。
【図６】図１の幼児用補助便座の使用状態を示す図である。
【図７】従来の幼児用補助便座を示す図である。
【符号の説明】
【００３８】
１１  幼児用補助便座、１２  着座部材、１２ａ，１２ｆ，１２ｇ  穴、１２ｂ  内壁、１２ｃ  外壁、１２ｄ  前ガード部、１２ｅ  シート部材、１２ｈ  位置決め突起、１３  摩擦板、１３ａ  大径穴、１３ｂ  小径穴、１４  把持部、１４ａ  把手、１５  位置決め孔、２１  洋式便器、２２  大人用便座、２３  中穴。
【図１】
2008061777.tif 000003
【図２】
2008061777.tif 000004
【図３】
2008061777.tif 000005
【図４】
2008061777.tif 000006
【図５】
2008061777.tif 000007
【図６】
2008061777.tif 000008
【図７】
2008061777.tif 000009